(57)【要約】【課題】今までの携帯電話の装着器具は装着のスタイルが好ましく無く、手放しで電話する事はハンズフリーコードを使う以外出来なかった。すぐ電話に出られず、忙しい時や長電話の時も電話機から手が離せなく大変煩わしく又他の用事が出来ない。【解決手段】携帯電話肩吊り下げゴムバンド３にして装備も楽で、又、装備スタイルも良くした、携帯電話をケース１に横に差し込むことによって手放し通話を可能にし、図３雑踏の中や騒音の中で携帯電話の呼び出しコールをすぐ聞き取って、即電話に出られるように携帯電話ケース１携帯電話肩吊り下げゴムバンド３を考案した。（図２図４図５、図６、図８）【選択図】図３
2011172198.tif 000002
【特許請求の範囲】
【請求項１】
携帯電話を横から縦に差し替えるだけで手放し通話できる携帯電話ケース１。（図１、図３、図７図９参照）
【請求項２】
手放し通話をするための携帯電話肩吊り下げゴムバンド３。
【請求項３】
バンド肩止リング４（ゴムバンドのずり落ちを防止するため）。
【請求項４】
携帯電話ケース１の裏面部に取り付けられたバンドケース通し６には携帯を挟み込むためのクッシヨンゴム２（滑り止め）が付いていて、携帯電話携帯電話ケース１の位置が自由に調整できるようになっている。
【請求項５】
携帯電話ケース１には図２の２図４の２図５の２図８の２の様に携帯電話を固定するために携帯電話差を挟み込むためのクッションゴム２が付けられている。
【請求項６】
携帯電話肩吊り下げゴムバンド３を通す、バンド通し６の携帯電話位置調節のためのバンド通しクッションゴム９（図６の９）。
【請求項７】
単体型（ストレート型）携帯電話機８の装備も使用方法も折りたたみ型携帯電話５と同じで図７、図８、図９、通り。
【発明の詳細な説明】
【技術分野】
【０００１】本発明は携帯電話を手放しで通話出来る携帯電話ケース１及びそれに伴う携帯電話肩吊り下げゴムバンド３。
【背景技術】
【０００２】従来手放しで携帯電話を通話する器具はイヤホンで通話する以外無く、イヤホンは常に耳に当てて置かなければいけないので、この点が煩わしく、、電話が掛かって来た時すぐコールが判り、即電話に出られて，携帯電話を付けていても外観が（スタイル）良く、手放しで通話出きる機能的な物が無く、長電話では手が離せず煩わしい、忙しい時は、電話機を持っていては他の用事が出来ず、大変不便なため、これらの事を解消するため考案した。
【先行技術文献】
【特許文献】
【０００３】
【特許文献１】  特開２００２−２７０７１号  公報
【発明の概要】
【発明が解決しようとする課題】
【０００４】特開平２００２−２７０７１号では耳たぶに電話機を掛けて通話するように成っているが、大変煩わしく、又、電話機の重量で耳から電話機がずり落ちるのではないかと考える。携帯電話を耳の近くに装備していないので、呼び出しコールが判りにくく、即、電話に出る事が出来ない等の難点がある。これらの問題点を解消して、長が電話の場合や忙しい時通話をしながら他の用事をするため。
特徴利点  １  通話中、手が空くので、電話機を手で持って通話する煩わしさがなく、話              ながら事務その他の用事が出来る。
２  電話が掛っても、雑音や騒音中でもすぐ判る。
３  電話が掛ったら携帯電話を探す事無くすぐ出られる。
４  携帯電話装着のスタイルが良く、（上着を着たら携帯電話装備が隠せる。              携帯電話装備で上着を着けてもかさばらない。）携帯電話の忘れ防止にも              なる。
【課題を解決するための手段】
【０００５】左腕、右腕いずれかに携帯電話に取り付けた、携帯電話肩吊り下げゴムバンド３を掛けて又肩の上部に取り外しできる携帯電話肩吊り下げゴムバンド３を固定さすためのバンド肩止めリング４を取り付け、そのバンド肩止めリング４の中を携帯電話肩吊り下げゴムバンド３を通し丁度、首近くの上胸部の左耳又は右耳の下近くに携帯電話をセツトする図１、図７。電話がかかってきたら携帯電話を携帯電話ケース１から取り出し、携帯電話ケース１に図５ように差し込む。（携帯電話を向きを変えて立てた状態で差し込む。）【０００６】携帯電話装備用の携帯電話吊り下げゴムバンド３に接続する携帯電ケース１には、図２の様に横向きに電話機を
2011172198.tif 000003
【発明の効果】
【０００７】この発明により、携帯電話装着のスタイルが良く、携帯電話の忘れ防止にもなり、雑踏の中とか騒音の中でも電話の呼び出しコールがすぐ判り、又携帯電話を探す事なくすぐ電話に出られ、イヤホンをする煩わしさも無く、長電話になっても手放しで通話出来るので、通話しながら他の用事が出来又、手を使わないので、手を使って通話する煩わしさが無い。
【図面の簡単な説明】
【０００８】
【図１】携帯電話を携帯電話肩吊り下げコムバンド３で装備し手電話待ち受け外観図。
【図２】携帯電話を手放し通話するための携帯電話ケース１に入れ替える外観図。
【図３】電話が掛かって通話中の手放し通話中の外観図。
【図４】携帯電話を携帯携帯ケース１に入れた状態の外観図。
【図５】電話が掛って携帯電話ケース１に差し込んだ状態の外観図及び携帯ケースに携帯電話を差し込むためのクッシヨンゴム２（携帯電話を外れなくするため）の位置図。（携帯電話を向きを変えて立てた状態で差し込む。）
【図６】携帯ケース１の裏側のバンドケース通し６バンド肩止めリング４及び携帯電話と携帯ケース接続紐７の外観図。
【図７】単体携帯電話８待ち受け外観図（折りたたみ式、携帯電話５と使用方法は同じ）。
【図８】手放し通話のための単体携帯電話８携帯電話ケース１差込図と携帯電話を挟み込むためのクッシヨンゴム２（携帯電話が外れなくするため）及び携帯電話とケース接続紐７の外観図。
【図９】同上単体電話８の通話中外観図。
【発明を実施するための形態】
まず携帯電話装着具を右腕又は左腕のいずれかに装置し、その時図４の４図６の４のバンド肩止めリング４に携帯電話肩吊り下げゴムバンド３を通して、丁度上腕の右胸又は左胸の格上部に装備する。電話が掛かったら即出られ、この時携帯電話をケース１から取出しケースに図２図５図８のように差し込み、そのまま手放しで通話出来る。ケース差込口２は携帯電話を入れたとき、図５の２のように、携帯電話がずり落ちないように携帯電話を差し込むためのクッションゴム２に挟み込むように成っている。携帯電話肩吊り下げゴムバンド３を通すバンドケース通し６は携帯電話の位置が調整出来るようにバンド通しクッションゴム９が使用されている。この携帯電話ケース１及び装備具は単体の携帯電話８も使用できる。（図７、図８、図９、）
【符号の説明】１  携帯電話ケース
２  携帯電話を挟み込むためのクッションゴム
３  携帯電話肩吊り下げゴムバンド
４  バンド肩止めリング
５  携帯電話
６  バンドケース通し
７  携帯電話とケース接続紐
８  単体携帯電話（表示部と操作部が一体と成ったストレートの電話機）
９  バンド通しクッシヨンゴム
【図１】
2011172198.tif 000004
【図２】
2011172198.tif 000005
【図３】
2011172198.tif 000006
【図４】
2011172198.tif 000007
【図５】
2011172198.tif 000008
【図６】
2011172198.tif 000009
【図７】
2011172198.tif 000010
【図８】
2011172198.tif 000011
【図９】
2011172198.tif 000012
【手続補正書】
【提出日】平成22年11月12日(2010.11.12)
【手続補正１】
【補正対象書類名】特許請求の範囲
【補正対象項目名】全文
【補正方法】変更
【補正の内容】
【特許請求の範囲】
【請求項１】
携帯電話全体を上から差し込み、保持する事が背仕込み保持携帯電話ケースであって、ケースの一面に、携帯電話の側面部を差し込み保持可能な差込口と、他の一面に、吊り下げゴムバンドが接続されていることを特徴とする携帯電話ケース。